(57)【要約】【課題】ガス警報器の点検時に警報音を長時間にわたって鳴らし続ける必要性を排除する。【解決手段】ガス漏れを検知するたガス漏れ検知センサ１と、警報音を発する警報部５とを具備するガス警報器において、警報音と聴覚以外の五感に訴える警報（例えば光による警報、外部の警報用機器への警報発生用信号など）とが発生せしめられるガス警報器の点検時に、聴覚以外の五感に訴える警報を発生させ続けつつ、警報音のみを停止させるための警報一時停止設定部７を設けた。好ましくは、警報一時停止設定部７の操作部としてプッシュスイッチ１３ｂをガス警報器の外部から操作可能な位置に設けた。【選択図】図１
2006235701.tif 000002
【特許請求の範囲】
【請求項１】
ガス漏れを検知するためのガス漏れ検知手段と、聴覚に訴える警報を発するための警報手段とを具備するガス警報器において、聴覚に訴える警報と聴覚以外の五感に訴える警報とが発生せしめられるガス警報器の点検時に、聴覚以外の五感に訴える警報を発生させ続けつつ、聴覚に訴える警報を停止させるための警報停止手段を設けたことを特徴とするガス警報器。
【請求項２】
前記ガス警報器の外側から操作可能な位置に前記警報停止手段の操作部を配置したことを特徴とする請求項１に記載のガス警報器。
【請求項３】
前記警報停止手段の操作部としてプッシュスイッチを設けたことを特徴とする請求項２に記載のガス警報器。
【請求項４】
聴覚に訴える警報が前記警報停止手段によって停止せしめられた後、聴覚以外の五感に訴える警報が発し続けられている期間中に、前記警報停止手段の操作部が操作された場合には、聴覚に訴える警報を再び発生させることを特徴とする請求項１〜３のいずれか一項に記載のガス警報器。
【請求項５】
聴覚に訴える警報が前記警報停止手段によって停止せしめられた後、聴覚以外の五感に訴える警報が発し続けられる期間の終了時点の所定時間前になった時に、聴覚に訴える警報を再び発生させることを特徴とする請求項１〜３のいずれか一項に記載のガス警報器。
【請求項６】
前記ガス警報器の外部に別個に設けられた他の警報手段に警報発生用信号を出力するための信号出力手段を設け、ガス警報器の点検時には、聴覚に訴える警報が前記警報停止手段によって停止せしめられた後に、前記信号出力手段から警報発生用信号を出力し続けるか、あるいは、所定の遅延時間経過後に前記信号出力手段から警報発生用信号を出力することを特徴とする請求項１〜５のいずれか一項に記載のガス警報器。
【発明の詳細な説明】
【技術分野】
【０００１】
本発明は、ガス器具、ガス配管などから漏れた都市ガス、ＬＰガスなどを検知して警報を発するガス警報器に関する。
【０００２】
詳細には、本発明は、ガス漏れを検知するためのガス漏れ検知手段と、例えばブザー音、音声などの聴覚に訴える警報を発するための警報手段とを具備するガス警報器に関し、特には、例えば聴覚以外の五感に訴える警報の点検が行われている時のような、聴覚に訴える警報の点検が行われていない時においても、聴覚に訴える警報が発し続けられてしまうのを回避することができるガス警報器に関する。
【背景技術】
【０００３】
従来から、ガス漏れを検知するガス漏れ検知センサと、例えばブザー音、音声などの警報を発する警報部とを具備するガス警報器が知られている。この種のガス警報器の例としては、例えば特開２００３−５８９６４号公報に記載されたものがある。特開２００３−５８９６４号公報に記載されたようなガス警報器は例えば台所などに設置され、そのようなガス警報器では、実際にガス漏れが発生した時に警報が正常に発生せしめられることを確認するために、例えば点検ガスを用いて点検が行われる。点検ガスとしては、一般的に、イソブタンを主成分としたライター式点検ガス、アルコール点検ガスなどが用いられ、ガス警報器の点検時には、そのような点検ガスがガス警報器のガス漏れ検知センサに吹きかけられる。
【０００４】
従来のガス警報器の通常の使用時には、ガス漏れ検知センサによってガス漏れが検知されている間、警報部によってブザー音または音声による警報が発生し続けられ、また、表示部のＬＥＤが点灯または点滅し続けられる。更に、ガス漏れ検知センサによるガス漏れの検知が開始してから例えば４５秒の遅延時間が経過した後にも依然としてガス漏れ検知センサによってガス漏れが検知されている場合には、ガス漏れ警報外部信号出力線を介して外部機器の警報部に信号が出力され、その警報部から例えば音、光などの警報が発生せしめられる。つまり、従来のガス警報器の通常の使用時においては、ガス漏れが検知されている間は警報が発生せしめられ、ガス漏れが検知されなくなった時に警報が停止せしめられるようになっている。
【０００５】
特開２００３−５８９６４号公報に記載されたガス警報器では、ガス警報器の点検時に、ガス漏れ検知センサに対して点検ガスを吹きかけ続けなくても警報を発生させ続けることができるように、警報時間設定部が設けられている。すなわち、特開２００３−５８９６４号公報に記載されたガス警報器では、ガス警報器の点検時に、警報時間設定部において所定の警報時間が設定され、次いで、点検ガスがガス漏れ検知センサに対して吹きかけられると、点検ガスをガス漏れ検知センサに対して吹きかけ続けなくても、設定された警報時間が経過するまで警報を発生させ続けることができるようになっている。詳細には、特開２００３−５８９６４号公報に記載されたガス警報器では、ガス警報器の点検時に、警報時間設定部において所定の警報時間が設定され、次いで、点検ガスがガス漏れ検知センサに対して吹きかけられると、点検ガスがガス漏れ検知センサによって検知されなくなっても、設定された警報時間が経過するまで、警報部によってブザー音または音声による警報が発生し続けられ、表示部のＬＥＤが点灯または点滅し続けられるようになっている。また、例えば４５秒の遅延時間経過後から、設定された警報時間が終了するまでの間も、ガス漏れ警報外部信号出力線を介して外部機器の警報部に信号が出力し続けられるようになっている。
【０００６】
つまり、特開２００３−５８９６４号公報に記載されたガス警報器では、警報時間設定部が設けられているため、ガス警報器の点検時にガス漏れ検知センサに対して点検ガスを長時間にわたって吹きかけ続けなければならない煩雑さが解消されている。
【０００７】
更に、特開２００３−５８９６４号公報に記載されたガス警報器では、ガス警報器の点検時にガス漏れ検知センサに対して吹きかけられたガスの量が多すぎて、設定された警報時間が終了した後においても依然としてガス漏れ検知センサによって点検ガスが検知される場合にも、設定された警報時間が終了した時にすべての警報が停止せしめられるようになっている。つまり、特開２００３−５８９６４号公報に記載されたガス警報器では、警報時間設定部が設けられているため、ガス警報器の点検時にガス漏れ検知センサに対して吹きかけられるガスの量が多すぎるのに伴って警報が長時間にわたって鳴り続けてしまうことが回避されている。
【０００８】
また、特開２００３−５８９６４号公報に記載されたガス警報器では、例えばすべての警報の点検が終了した時に、プッシュスイッチを押動することにより、発生せしめられていたすべての警報（音による警報、光による警報、および、外部機器の警報部への信号出力）を停止させることができるようになっている。
【０００９】
ところが、特開２００３−５８９６４号公報に記載されたガス警報器では、プッシュスイッチによって警報を停止させることができるものの、上述したように、すべての警報（音による警報、光による警報、および、外部機器の警報部への信号出力）が一斉に停止せしめられてしまい、個々の警報を個別に停止させることができない。従って、特開２００３−５８９６４号公報に記載されたガス警報器では、例えば４５秒の遅延時間が経過するまで点検を行うことができない外部機器の警報部への信号出力を点検しようとすると、例えばブザー音または音声のような音による警報が長時間にわたって鳴り続けてしまうことになる。
【００１０】
換言すれば、特開２００３−５８９６４号公報に記載されたガス警報器では、例えばブザー音または音声のような音による警報の点検が終了した後においても、外部機器の警報部への信号出力の点検が終了するまで、音による警報が長時間にわたって鳴り続けてしまうことになる。
【００１１】
この音による警報の音量は、検定機関で定められた規定音量を満たした高音量であるため、この音による警報が長時間にわたって鳴り続けてしまうと、個人差はあるものの、ガス警報器の点検者が耳鳴りなどの症状をおこしてしまうおそれがある。
【００１２】
【特許文献１】特開２００３−５８９６４号公報
【発明の開示】
【発明が解決しようとする課題】
【００１３】
前記問題点に鑑み、本発明は、点検時に警報音を長時間にわたって鳴らし続ける必要性を排除することができるガス警報器を提供することを目的とする。
【００１４】
詳細には、本発明は、点検時に長時間にわたって警報音を聞くことにより点検者が耳鳴りなどの症状を有してしまうおそれを抑制することができるガス警報器を提供することを目的とする。
【００１５】
更に詳細には、本発明は、例えば聴覚以外の五感に訴える警報の点検が行われている時のような、聴覚に訴える警報の点検が行われていない時においても、聴覚に訴える警報が発し続けられてしまうのを回避することができるガス警報器を提供することを目的とする。
【課題を解決するための手段】
【００１６】
請求項１に記載の発明によれば、ガス漏れを検知するためのガス漏れ検知手段と、聴覚に訴える警報を発するための警報手段とを具備するガス警報器において、聴覚に訴える警報と聴覚以外の五感に訴える警報とが発生せしめられるガス警報器の点検時に、聴覚以外の五感に訴える警報を発生させ続けつつ、聴覚に訴える警報を停止させるための警報停止手段を設けたことを特徴とするガス警報器が提供される。
【００１７】
請求項２に記載の発明によれば、前記ガス警報器の外側から操作可能な位置に前記警報停止手段の操作部を配置したことを特徴とする請求項１に記載のガス警報器が提供される。
【００１８】
請求項３に記載の発明によれば、前記警報停止手段の操作部としてプッシュスイッチを設けたことを特徴とする請求項２に記載のガス警報器が提供される。
【００１９】
請求項４に記載の発明によれば、聴覚に訴える警報が前記警報停止手段によって停止せしめられた後、聴覚以外の五感に訴える警報が発し続けられている期間中に、前記警報停止手段の操作部が操作された場合には、聴覚に訴える警報を再び発生させることを特徴とする請求項１〜３のいずれか一項に記載のガス警報器が提供される。
【００２０】
請求項５に記載の発明によれば、聴覚に訴える警報が前記警報停止手段によって停止せしめられた後、聴覚以外の五感に訴える警報が発し続けられる期間の終了時点の所定時間前になった時に、聴覚に訴える警報を再び発生させることを特徴とする請求項１〜３のいずれか一項に記載のガス警報器が提供される。
【００２１】
請求項６に記載の発明によれば、前記ガス警報器の外部に別個に設けられた他の警報手段に警報発生用信号を出力するための信号出力手段を設け、ガス警報器の点検時には、聴覚に訴える警報が前記警報停止手段によって停止せしめられた後に、前記信号出力手段から警報発生用信号を出力し続けるか、あるいは、所定の遅延時間経過後に前記信号出力手段から警報発生用信号を出力することを特徴とする請求項１〜５のいずれか一項に記載のガス警報器が提供される。
【発明の効果】
【００２２】
請求項１に記載のガス警報器では、ガス警報器の点検時に聴覚に訴える警報を停止させるための警報停止手段が設けられている。そのため、例えば聴覚以外の五感に訴える警報の点検が行われている時のような、聴覚に訴える警報の点検が行われていない時においても、聴覚に訴える警報が発し続けられてしまうのを回避することができる。それにより、聴覚に訴える警報が長時間にわたって発し続けられるのに伴って、点検者が耳鳴りなどの症状を有してしまうおそれを抑制することができる。更に、請求項１に記載のガス警報器では、ガス警報器の点検時に、聴覚に訴える警報が停止せしめられた後においても、聴覚以外の五感に訴える警報が発し続けられる。そのため、聴覚に訴える警報が停止せしめられた静かな状況下で聴覚以外の五感に訴える警報の点検を行うことができる。
【００２３】
請求項１に記載のガス警報器のガス漏れ検知手段によって検知されるガスには、例えば都市ガス、ＬＰガスなどのような任意のガスが含まれる。また、請求項１に記載のガス警報器の警報手段が発する聴覚に訴える警報には、例えばブザー音、音声などによる警報が含まれる。更に、請求項１に記載のガス警報器が発する聴覚以外の五感に訴える警報には、例えばＬＥＤなどによる視覚に訴える警報などが含まれる。
【００２４】
請求項２及び３に記載のガス警報器では、ガス警報器の外側から操作可能な位置に警報停止手段の操作部が配置されている。詳細には、警報停止手段の操作部としてプッシュスイッチが設けられている。そのため、例えば警報停止手段の操作部がガス警報器のカバーの内部に配置され、ガス警報器のカバーを取り外さないと聴覚に訴える警報を停止させることができない場合よりも、聴覚に訴える警報を容易かつ迅速に停止させることができる。
【００２５】
請求項４に記載のガス警報器では、聴覚に訴える警報が警報停止手段によって停止せしめられた後、聴覚以外の五感に訴える警報が発し続けられている期間中に、警報停止手段の操作部が操作された場合には、聴覚に訴える警報が再び発生せしめられる。そのため、先に、聴覚に訴える警報が停止せしめられた静かな状況下で聴覚以外の五感に訴える警報の点検を行い、後から、聴覚に訴える警報の点検を行うことができる。
【００２６】
請求項５に記載のガス警報器では、聴覚に訴える警報が警報停止手段によって停止せしめられた後、聴覚以外の五感に訴える警報が発し続けられる期間の終了時点の所定時間前になった時に、聴覚に訴える警報が再び発生せしめられる。そのため、再び発生せしめられる聴覚に訴える警報により、聴覚以外の五感に訴える警報が発し続けられる期間の終了時点をガス警報器の点検者に把握させることができる。
【００２７】
請求項６に記載のガス警報器では、ガス警報器の外部に別個に設けられた他の警報手段に警報発生用信号を出力するための信号出力手段が設けられている。更に、請求項６に記載のガス警報器では、ガス警報器の点検時に聴覚に訴える警報が警報停止手段によって停止せしめられた時に、信号出力手段から警報発生用信号が出力されている場合には、その後も信号出力手段から警報発生用信号が出力し続けられる。あるいは、ガス警報器の点検時に聴覚に訴える警報が警報停止手段によって停止せしめられた時に、信号出力手段からの警報発生用信号の出力がまだ開始されていない場合には、聴覚に訴える警報が警報停止手段によって停止せしめられた後、所定の遅延時間経過後に、信号出力手段から警報発生用信号が出力される。そのため、ガス警報器の点検時に、聴覚に訴える警報が警報停止手段によって停止せしめられた後においても、信号出力手段から出力される警報発生用信号を点検することができる。換言すれば、ガス警報器の点検時に、信号出力手段からの警報発生用信号の出力が開始されるまで聴覚に訴える警報を発し続ける必要性を排除することができる。
【００２８】
つまり、請求項１〜６に記載のガス警報器では、例えば都市ガス、ＬＰガスなどのガス漏れを検知し、例えばブザー音または音声の警報を発するガス警報器に、警報音を一時的に停止させるために外部より操作可能に構成された操作部が設けられている。ガス警報器の点検時にこの操作部が操作されると、警報音のみが一時停止せしめられ、例えばＬＥＤなどの警報表示、例えば外部に別個に設けられた他の警報手段への例えば有電圧のような警報発生用信号の出力などはそのまま維持される。詳細には、ガス警報器の点検時に、例えばプッシュスイッチが押し下げられることにより、警報音のみが一時停止せしめられる。すなわち、請求項１〜６に記載のガス警報器では、ガス警報器の点検時に、任意に警報音を停止させることができる。
【００２９】
詳細には、請求項１〜６に記載のガス警報器では、ガス警報器の点検時、つまり、ガス警報器の点検作業時に、例えば警報音が発生することが初期の数秒間だけ確認され、その後、任意に警報音のみ一時停止せしめられる。次いで、例えばＬＥＤなどによって警報表示が行われていることが確認され、所定の遅延時間経過後に、例えば外部に別個に設けられた他の警報手段への警報発生用信号の出力が確認される。そのため、所定の遅延時間が経過するまでの長い間警報音を鳴らし続ける必要性がなくなる。また、長い間警報音を聞くことによって点検者が耳鳴りなどの症状を有するおそれを抑制することができる。
【発明を実施するための最良の形態】
【００３０】
以下、本発明のガス警報器の第１の実施形態について説明する。図１は第１の実施形態のガス警報器のブロック図である。図１において、１は例えば都市ガス、ＬＰガスなどのようなガスを検知するガス漏れ検知センサ、２はガス漏れ検知センサ１からの出力を受けて警報表示部３、外部信号出力部４、および警報部５に駆動信号を発する制御部である。警報表示部３は、制御部２に接続されており、ガス漏れが検知された時に警報表示を行う。外部信号出力部４は、制御部２に接続されており、ガス漏れが検知された時に、図１に示した第１の実施形態のガス警報器の外部に別個に設けられた他の警報用機器（図示せず）に対して警報発生用信号を出力する。警報部５は、制御部２に接続されており、ガス漏れが検知された時に警報音を発する。
【００３１】
警報時間設定部６は、第１の実施形態のガス警報器の点検時に警報部５などによって警報が発生せしめられる時間である警報時間を設定するための警報時間設定信号を発生させ、その警報時間設定信号を制御部２に出力する。警報一時停止設定部７は、上述した警報時間中に警報部５による警報音を一時停止させるための警報一時停止信号を発生させ、その警報一時停止信号を制御部２に出力する。
【００３２】
詳細には、制御部２は、ガス漏れ検知センサ１からの信号を受けて、警報表示部３、外部信号出力部４、および警報部５のそれぞれに対して駆動信号を発するか否かを判断し、可と判断されたものに対して駆動信号を発する。警報表示部３はＬＥＤ（図示せず）を有しており、警報表示部３によって警報が表示される時には、そのＬＥＤが点灯または点滅せしめられる。警報部５は、ブザー（図示せず）またはスピーカー（図示せず）を有しており、ブザー音による警報または音声による警報を発する。
【００３３】
図２は第１の実施形態のガス警報器の正面図である。図２において、８はガス警報器本体、９はガス漏れ検知部、１０は警報音発生部、１１ａは通電表示灯、１１ｂはガス漏れ表示灯、１２は外部信号出力線、１３ａは警報時間設定用プッシュスイッチ、１３ｂは警報一時停止設定用プッシュスイッチである。
【００３４】
ガス漏れ検知部９の内側には、図１に示したガス漏れ検知センサ１が配置されている。例えば都市ガス、ＬＰガスなどのガスがガス漏れ検知部９を介して内側のガス漏れ検知センサ１に到達すると、ガス漏れ検知センサ１によってガス漏れが検知される。警報音発生部１０の内側には、図１に示した警報部５のブザー（図示せず）またはスピーカー（図示せず）が配置されており、ガス漏れ検知センサ１によってガス漏れが検知されると、ブザー警報または音声警報が発生せしめられる。ガス漏れ表示灯１１ｂの内側には、警報表示部３のＬＥＤ（図示せず）が配置されており、ガス漏れ検知センサ１によってガス漏れが検知されると、そのＬＥＤが点灯または点滅せしめられ、警報モードの表示が行われる。外部信号出力線１２は、図１に示した外部信号出力部４と、第１の実施形態のガス警報器の外部に別個に設けられた他の警報用機器（図示せず）とを接続している。例えばマイコンメータ連動用の場合には、ガス漏れ検知センサ１によってガス漏れが検知されてから所定の遅延時間が経過した後に、外部信号出力部４（図１参照）から外部信号出力線１２を介して他の警報用機器（図示せず）に警報発生用信号が出力される。
【００３５】
警報時間設定用プッシュスイッチ１３ａは、ガス警報器の外側から操作可能なガス警報器本体８の正面に配置されており、ガス警報器本体８の内部に配置された警報時間設定部６（図１参照）に接続されている。ガス警報器の点検時には、ガス漏れ検知部９に対して点検ガスが吹きかけられる前に、所定時間内に警報時間設定用プッシュスイッチ１３ａを押動する回数に応じて異なる長さの警報時間が警報時間設定部６（図１参照）によって設定される。例えば、所定時間内に警報時間設定用プッシュスイッチ１３ａが１回押動されると２０秒の警報時間が設定され、所定時間内に警報時間設定用プッシュスイッチ１３ａが２回押動されると３０秒の警報時間が設定され、所定時間内に警報時間設定用プッシュスイッチ１３ａが３回押動されると４０秒の警報時間が設定される。つまり、第１の実施形態のガス警報器では、ガス警報器の点検時の警報時間を任意の長さに設定することができる。
【００３６】
ガス警報器の点検時に、上述したように警報時間が設定され、その後ガス漏れ検知部９に対して点検ガスが吹きかけられると、ガス漏れ検知部９に対して点検ガスを吹きかけ続けなくても、警報時間が終了するまで、警報部５によって警報音を発生させ続けることができ、警報表示部３によって警報を表示し続けることができる。また、遅延時間よりも長い警報時間が設定された場合には、ガス漏れ検知部９に対して点検ガスが吹きかけられると、ガス漏れ検知部９に対して点検ガスを吹きかけ続けなくても、点検ガスが吹きかけられて遅延時間が経過した時点から警報時間が終了するまで、外部信号出力部４（図１参照）から他の警報用機器（図示せず）に警報発生用信号を出力し続けることができる。つまり、警報部５、警報表示部３、および外部信号出力部４の点検を少量の点検ガスによって行うことができる。
【００３７】
第１の実施形態のガス警報器の点検時には、上述したように、点検ガスが吹きかけられて例えば４５秒の遅延時間が経過した時点から例えば６０秒の警報時間が終了するまで、外部信号出力部４（図１参照）から他の警報用機器（図示せず）に警報発生用信号が出力し続けられるが、第２の実施形態のガス警報器では、設定された警報時間とは無関係に、点検ガスが吹きかけられて遅延時間が経過した時点から所定時間の間、外部信号出力部４（図１参照）から他の警報用機器（図示せず）に警報発生用信号を出力し続けることも可能である。つまり、第２の実施形態のガス警報器では、設定された警報時間が遅延時間より短い場合にも、ガス漏れ検知部９に対して点検ガスを吹きかけ続ける必要なく、外部信号出力部４の点検を行うことができる。
【００３８】
第１の実施形態のガス警報器の説明に戻り、警報一時停止設定用プッシュスイッチ１３ｂは、ガス警報器の外側から操作可能なガス警報器本体８の正面に配置されており、ガス警報器本体８の内部に配置された警報一時停止設定部７（図１参照）に接続されている。ガス警報器の点検時には、上述した警報時間内である場合に限り、警報一時停止設定用プッシュスイッチ１３ｂを１回押動することにより、警報部５によって発生せしめられている警報音のみを一時停止させることができる。ガス警報器の点検時に、警報一時停止設定用プッシュスイッチ１３ｂが押動せしめられても、警報表示部３による警報は停止されることなく表示し続けられる。更に、上述した遅延時間経過後に警報一時停止設定用プッシュスイッチ１３ｂが押動せしめられても、外部信号出力部４による警報発生用信号は停止されることなく出力し続けられる。一方、上述した遅延時間が経過する前に警報一時停止設定用プッシュスイッチ１３ｂが押動せしめられても、外部信号出力部４による警報発生用信号は、キャンセルされることなく、遅延時間経過後に出力される。
【００３９】
つまり、第１の実施形態のガス警報器では、ガス警報器の点検時に、警報部５による警報音を任意に一時停止することができる。
【００４０】
第１の実施形態のガス警報器の通常の使用時には、ガス漏れ検知センサ１によってガス漏れが検知されている間、警報部５によってブザー音または音声による警報が発生し続けられ、また、警報表示部３のＬＥＤが点灯または点滅し続けられる。更に、ガス漏れ検知センサ１によるガス漏れの検知が開始してから遅延時間が経過した後にも依然としてガス漏れ検知センサ１によってガス漏れが検知されている場合には、外部信号出力線１２を介して他の警報用機器（図示せず）に警報発生用信号が出力され、その警報用機器（図示せず）から例えば音、光などの警報が発生せしめられる。つまり、第１の実施形態のガス警報器の通常の使用時においては、ガス漏れが検知されている間は警報が発生せしめられ、ガス漏れが検知されなくなった時に警報が停止せしめられるようになっている。
【００４１】
一方、第１の実施形態のガス警報器の点検時には、ガス漏れ検知部９に対して点検ガスが吹きかけられる前に、警報時間設定部６によって所定の警報時間が設定される。次いで、ガス漏れ検知部９に対して点検ガスが吹きかけられると、ガス漏れ検知部９に対して点検ガスを吹きかけ続けなくても、警報部５によって警報音が発生し続けられ、警報表示部３による警報が表示し続けられ、遅延時間の経過後には、外部信号出力部４から警報発生用信号が出力し続けられる。
【００４２】
詳細には、第１の実施形態のガス警報器の点検時には、まず最初に、警報部５による警報音の点検が行われる。警報部５による警報音の点検が終了すると、警報一時停止設定用プッシュスイッチ１３ｂが１回押動され、制御部２で論理判定が行われ、警報部５による警報音のみが一時停止せしめられる。次いで、警報部５による警報音が停止せしめられた静かな状況下で、警報表示部３による警報表示の点検が行われる。次いで、遅延時間の経過後には、警報部５による警報音が停止せしめられた静かな状況下で、外部信号出力部４から出力されている警報発生用信号の点検が行われる。
【００４３】
更に、第１の実施形態のガス警報器の点検時には、設定された警報時間内である場合に限り、警報一時停止設定用プッシュスイッチ１３ｂを１回押動することにより、警報部５による警報音を再度発生させることができる。
【００４４】
すなわち、第１の実施形態のガス警報器では、ガス警報器の点検時に聴覚に訴える警報音を停止させるための警報停止手段として警報一時停止設定部７が設けられている。そのため、例えば聴覚以外の五感に訴える警報の点検が行われている時のような、警報部５による警報音の点検が行われていない時においても、警報音が発し続けられてしまうのを回避することができる。それにより、警報部５による警報音が長時間にわたって発し続けられるのに伴って、点検者が耳鳴りなどの症状を有してしまうおそれを抑制することができる。
【００４５】
更に、第１の実施形態のガス警報器では、ガス警報器の点検時に、警報部５による警報音が停止せしめられた後においても、聴覚以外の五感に訴える警報（詳細には、警報表示部３による警報および外部信号出力部４からの警報発生用信号）が発し続けられる。そのため、警報部５による警報音が停止せしめられた静かな状況下で聴覚以外の五感に訴える警報（警報表示部３による警報および外部信号出力部４からの警報発生用信号）の点検を行うことができる。
【００４６】
また、第１の実施形態のガス警報器では、図２に示したように、ガス警報器の外側から操作可能な位置に警報一時停止設定部７の操作部としての警報一時停止設定用プッシュスイッチ１３ｂが配置されている。そのため、例えば警報一時停止設定部７の操作部がガス警報器本体８の内部に配置され、ガス警報器本体８のカバーを取り外さないと警報音を停止させることができない場合よりも、警報音を容易かつ迅速に停止させることができる。
【００４７】
更に、第１の実施形態のガス警報器では、上述したように、警報部５による警報音が警報一時停止設定部７によって停止せしめられた後、聴覚以外の五感に訴える警報（詳細には、警報表示部３による警報および外部信号出力部４からの警報発生用信号）が発し続けられている期間中に、警報一時停止設定用プッシュスイッチ１３ｂが押動された場合には、警報部５による警報音が再び発生せしめられる。そのため、上述した場合とは異なり、先に、警報部５による警報音が停止せしめられた静かな状況下で聴覚以外の五感に訴える警報（警報表示部３による警報および外部信号出力部４からの警報発生用信号）の点検を行い、後から、警報部５による警報音の点検を行うこともできる。
【００４８】
上述したように、第１の実施形態のガス警報器では、警報部５による警報音が警報一時停止設定部７によって停止せしめられた後は、警報一時停止設定用プッシュスイッチ１３ｂが押動されないと警報部５による警報音が再び発生せしめられないが、第３の実施形態のガス警報器では、代わりに、警報部５による警報音が警報一時停止設定部７によって停止せしめられた後、聴覚以外の五感に訴える警報（詳細には、警報表示部３による警報および／または外部信号出力部４からの警報発生用信号）が発し続けられる警報時間の終了時点の所定時間前になった時に、警報部５による警報音を自動的に再び発生させることも可能である。第３の実施形態のガス警報器によれば、再び発生せしめられる警報音により、聴覚以外の五感に訴える警報（警報表示部３による警報および／または外部信号出力部４からの警報発生用信号）が発し続けられる警報時間の終了時点をガス警報器の点検者に把握させることができる。
【００４９】
また、第１の実施形態のガス警報器では、上述したように、ガス警報器の外部に別個に設けられた他の警報用機器（図示せず）に警報発生用信号を出力するための外部信号出力部４が設けられている。更に、第１の実施形態のガス警報器では、上述したように、ガス警報器の点検時に警報部５による警報音が警報一時停止設定部７によって停止せしめられた時に、外部信号出力部４から警報発生用信号が出力されている場合には、その後も外部信号出力部４から警報発生用信号が出力し続けられる。一方、ガス警報器の点検時に警報部５による警報音が警報一時停止設定部７によって停止せしめられた時に、外部信号出力部４からの警報発生用信号の出力がまだ開始されていない場合には、警報部５による警報音が警報一時停止設定部７によって停止せしめられた後、遅延時間が経過した時に、外部信号出力部４からの警報発生用信号の出力が開始され、外部信号出力部４から警報発生用信号が出力し続けられる。そのため、ガス警報器の点検時に、警報部５による警報音が警報一時停止設定部７によって停止せしめられた後においても、外部信号出力部４から出力される警報発生用信号を点検することができる。換言すれば、ガス警報器の点検時に、外部信号出力部４からの警報発生用信号の出力が開始されるまで警報部５による警報音を発し続ける必要性を排除することができる。
【００５０】
第１の実施形態のガス警報器では、図２に示したように、警報時間設定用プッシュスイッチ１３ａおよび警報一時停止設定用プッシュスイッチ１３ｂがガス警報器本体８の正面に配置されているが、第４の実施形態のガス警報器では、それらの両方またはいずれか一方をガス警報器本体８の側面に配置することも可能である。
【００５１】
第５の実施形態では、上述した第１から第４の実施形態を適宜組み合わせることも可能である。
【図面の簡単な説明】
【００５２】
【図１】第１の実施形態のガス警報器のブロック図である。
【図２】第１の実施形態のガス警報器の正面図である。
【符号の説明】
【００５３】
１      ガス漏れ検知センサ
２      制御部
３      警報表示部
４      外部信号出力部
５      警報部
６      警報時間設定部
７      警報一時停止設定部
８      ガス警報器本体
９      ガス漏れ検知部
１０    警報音発生部
１１ａ  通電表示灯
１１ｂ  ガス漏れ表示灯
１２    外部信号出力線
１３ａ  警報時間設定用プッシュスイッチ
１３ｂ  警報一時停止設定用プッシュスイッチ
【図１】
2006235701.tif 000003
【図２】
2006235701.tif 000004